(57)【要約】  より少ない操作で吸入を終えることができ、使用者の利便性を高めた粉末吸入器を提供する。  本発明の粉末吸入器は、一端に吸入口（２ｆ）が設けられたハウジング（１Ａ）と、ハウジング（１Ａ）内に取り付けられ、複数回用量分の微粉末状薬剤を収容可能な容積を有し、且つ、薬剤排出孔（３ｂ）を有する供給体（３）と、ハウジング（１Ａ）内に設けられ、薬剤排出孔（３ｂ）から一回用量分の薬剤を受け入れるための計量凹部（４ｃ）を有し、該計量凹部（４ｃ）が前記薬剤排出孔（３ｂ）から薬剤を受け入れ可能な薬剤受け入れ位置と該計量凹部（４ｃ）に受け入れた薬剤を前記吸入口（２ｆ）から吸入可能な薬剤吸入位置との間を移動可能に支持された薬剤搬送体（４）と、ハウジング（１Ａ）に揺動可能に設けられたカバーキャップ（Ｃ２）と、カバーキャップ（Ｃ２）の揺動によって作動し、前記供給体（３）に振動を与える振動付与手段（６０）と、を有する。
2008001744.tif 000002
【特許請求の範囲】
【請求項１】
一端に吸入口が設けられたハウジングと、
前記ハウジング内に取り付けられ、複数回用量分の微粉末状薬剤を収容可能な容積を有し、且つ、薬剤排出孔を有する供給体と、
前記ハウジング内に設けられ、前記薬剤排出孔から一回用量分の薬剤を受け入れるための計量凹部を有し、且つ、該計量凹部が前記薬剤排出孔から薬剤を受け入れ可能な薬剤受け入れ位置と、該計量凹部に受け入れた薬剤を前記吸入口から吸入可能な薬剤吸入位置と、の間を移動可能に支持された薬剤搬送体と、
前記ハウジングに揺動可能に設けられたカバーキャップと、
前記カバーキャップに設けられた少なくとも１つの第１係合部と、
前記供給体に対して振動伝達可能な部位に設けられ、前記カバーキャップの揺動によって前記供給体を振動させるように、前記第１係合部と係合するための少なくとも１つの第２係合部と、を有することを特徴とする粉末吸入器。
【請求項２】
前記第１係合部は、前記カバーキャップの内側に設けられ、前記第２係合部は、前記ハウジングに設けられていることを特徴とする請求項１に記載の粉末吸入器。
【請求項３】
前記第１係合部は、前記カバーキャップの内側に設けられ、前記第２係合部は、前記供給体の外側面に設けられていることを特徴とする請求項１に記載の粉末吸入器。
【請求項４】
前記第１係合部は、前記カバーキャップの内側に揺動可能に連結され、
前記ハウジングは、前記キャップの揺動に伴って前記第１係合部を揺動させつつ前記第２係合部へ案内するガイド部を有することを特徴とする請求項３に記載の粉末吸入器。
【請求項５】
前記ハウジング内に設けられ、前記薬剤搬送体を前記薬剤吸入位置から前記薬剤受け入れ位置へ付勢する弾性体と、
該薬剤搬送体を前記薬剤吸入位置にロックするロック機構と、
前記カバーキャップの閉動作によって前記ロック機構のロックを解除するロック解除機構と、を更に有することを特徴とする請求項１に記載の粉末吸入器。
【請求項６】
前記ハウジング内に設けられ、前記薬剤搬送体を前記薬剤吸入位置から前記薬剤受け入れ位置へ付勢する弾性体と、
該薬剤搬送体を前記薬剤吸入位置にロックするロック機構と、
前記ロック機構のロックを解除するロック解除機構と、を更に有し、
前記ロック解除機構は、前記第１係合部に連結され、前記カバーキャップの閉動作に伴って、前記ガイド部によってロック解除位置に案内されるロック解除部材を有することを特徴とする請求項４に記載の粉末吸入器。
【請求項７】
前記第２係合部は、前記ハウジング内に組み込まれて前記供給体に振動伝達可能な部品に設けられていることを特徴とする請求項１に記載の粉末吸入器。
【請求項８】
一端に吸入口が設けられたハウジングと、
前記ハウジング内に取り付けられ、複数回用量分の微粉末状薬剤を収容可能な容積を有し、且つ、薬剤排出孔を有する供給体と、
前記ハウジング内に設けられ、前記薬剤排出孔から一回用量分の薬剤を受け入れるための計量凹部を有し、且つ、該計量凹部が前記薬剤排出孔から薬剤受け入れ位置と、該計量凹部に受け入れた薬剤を前記吸入口から吸入可能な薬剤吸入位置と、の間を移動可能に支持された薬剤搬送体と、
前記ハウジングに揺動可能に設けられたカバーキャップと、
該カバーキャップの揺動によって作動し、前記供給体に振動を与える振動付与手段と、
を有することを特徴とする粉末吸入器。
【請求項９】
前記振動付与手段は、前記カバーキャップに設けられた少なくとも１つの第１係合部と、前記ハウジングに設けられ、前記第１係合部と係合可能な少なくとも１つの第２係合部とを含むことを特徴とする請求項８に記載の粉末吸入器。
【請求項１０】
前記振動付与手段は、前記カバーキャップに設けられた少なくとも１つの第１係合部と、前記供給体に設けられ、前記第１係合部と係合可能な少なくとも１つの第２係合部と、を含むことを特徴とする請求項８に記載の粉末吸入器。
【発明の詳細な説明】
【技術分野】
【０００１】
本発明は、多回数用量の微粉末状薬剤を投与することができる粉末吸入器に関する。
【背景技術】
【０００２】
従来、この種の粉末吸入器として、前側に吸入口が設けられたハウジングと、複数回用量分の微粉末状薬剤を収容する供給体と、前記供給体と前記吸入口との間を前後方向に往復動して、前記供給体の微粉末状薬剤の一回用量分を前記吸入口に向けて搬送する薬剤搬送体と、前記ハウジングの前部に被せられる着脱自在のカバーキャップと、前記薬剤搬送体を操作する底キャップと、を備えた粉末吸入器において、前記ハウジングの後側に開口部を設け、前記底キャップをキャップ状に形成すると共に、前記底キャップを前後に往復動自在にして前記ハウジングの後部に被せ、前記開口部に挿通される連結体によって前記底キャップと前記薬剤搬送体とを連結し、前記カバーキャップを前記ハウジングに被せたときには、該カバーキャップの後端と前記底キャップの前端とが合致して前記ハウジングを包むようにした粉末吸入器が知られている（特許文献１参照）。【０００３】
上記粉末吸入器を用いて微粉末状薬剤を吸入する場合には、図５２に示すように、（１）カバーキャップＣ２を外す、（２）粉末吸入器を手で持って振って供給体内の微粉末状薬剤を薬剤搬送体に充填する、（３）底キャップＣ１を押圧操作することにより薬剤搬送体を薬剤受け入れ位置から薬剤吸入位置（吸入口から吸入できる位置）に移動させる、（４）吸入する、（５）底キャップＣ１を操作して薬剤搬送体を薬剤受け入れ位置に戻す、（６）カバーキャップＣ２を閉じる、といった6つの操作を行っていた。
【特許文献１】国際公開第２００４／０３３０１０号公報
【発明の開示】
【発明が解決しようとする課題】
【０００４】
上記従来の粉末吸入器は、防湿専用ケースを用いなくても高い防湿効果が得られる点において極めて優れた吸入器であるが、吸入するために、上記したように6つの操作が必要であった。【０００５】
本発明は、より少ない操作で吸入を終えることができ、使用者の利便性を高めた粉末吸入器を提供するものである。
【課題を解決するための手段】
【０００６】
本発明の粉末吸入器は、一端に吸入口が設けられたハウジングと、前記ハウジング内に取り付けられ、複数回用量分の微粉末状薬剤を収容可能な容積を有し、且つ、薬剤排出孔を有する供給体と、前記ハウジング内に設けられ、前記薬剤排出孔から一回用量分の薬剤を受け入れるための計量凹部を有し、且つ、該計量凹部が前記薬剤排出孔から薬剤を受け入れ可能な薬剤受け入れ位置と、該計量凹部に受け入れた薬剤を前記吸入口から吸入可能な薬剤吸入位置と、の間を移動可能に支持された薬剤搬送体と、前記ハウジングに揺動可能に設けられたカバーキャップと、前記カバーキャップに設けられた少なくとも1つの第１係合部と、前記供給体に対して振動伝達可能な部位に設けられ、前記カバーキャップの揺動によって前記供給体を振動させるように、前記第１係合部と係合するための少なくとも１つの第２係合部と、を有する。【０００７】
一形態において、前記第１係合部は、前記カバーキャップの内側に設けられ、前記第２係合部は、前記ハウジングに設けられている。【０００８】
他の形態において、前記第１係合部は、前記カバーキャップの内側に設けられ、前記第２係合部は、前記供給体の外側面に設けられている。【０００９】
他の形態において、前記粉末吸入器は、前記ハウジング内に設けられ、前記薬剤搬送体を前記薬剤吸入位置から前記薬剤受け入れ位置へ付勢する弾性体と、該薬剤搬送体を前記薬剤吸入位置にロックするロック機構と、前記カバーキャップの閉動作によって前記ロック機構のロックを解除するロック解除機構と、を更に有する。【００１０】
他の形態において、前記第１係合部は、前記カバーキャップの内側に揺動可能に連結され、前記ハウジングは、前記第１係合部を揺動させつつ前記第２係合部へ案内するためのガイド部を有する。この場合の一形態において、前記粉末吸入器は、前記ハウジング内に設けられ、前記薬剤搬送体を前記薬剤吸入位置から前記薬剤受け入れ位置へ付勢する弾性体と、該薬剤搬送体を前記薬剤吸入位置にロックするロック機構と、前記ロック機構のロックを解除するロック解除機構と、を更に有し、前記ロック解除機構は、前記第１係合部に連結され、前記カバーキャップの閉動作に伴って、前記ガイド部によってロック解除位置に案内されるロック解除部材を更に有する。【００１１】
一形態において、前記第２係合部は、前記ハウジング内に組み込まれて前記供給体に振動伝達可能な部品に設けられている。【００１２】
また、本発明に係る粉末吸入器は、一端に吸入口が設けられたハウジングと、前記ハウジング内に取り付けられ、複数回用量分の微粉末状薬剤を収容可能な容積を有し、且つ、薬剤排出孔を有する供給体と、前記ハウジング内に設けられ、前記薬剤排出孔から一回用量分の薬剤を受け入れるための計量凹部を有し、且つ、該計量凹部が前記薬剤排出孔から薬剤受け入れ位置と、該計量凹部に受け入れた薬剤を前記吸入口から吸入可能な薬剤吸入位置と、の間を移動可能に支持された薬剤搬送体と、前記ハウジングに揺動可能に設けられたカバーキャップと、該カバーキャップの揺動によって作動し、前記供給体に振動を与える振動付与手段と、を有する。【００１３】
一形態において、前記振動付与手段は、前記カバーキャップに設けられた少なくとも１つの第１係合部と、前記ハウジングに設けられ、前記第１係合要素と係合可能な少なくとも１つの第２係合部とを含む。【００１４】
他の形態において、前記振動付与手段は、前記カバーキャップに設けられた少なくとも１つの第１係合部と、前記供給体に設けられ、前記第１係合要素と係合可能な少なくとも１つの第２係合部と、を含む。
【発明の効果】
【００１５】
本発明によれば、カバーキャップを揺動させる際に、第１係合部及び第２係合部が係合して、供給体に直接若しくは間接的に振動を与え、供給体から薬剤搬送体の計量凹部に微粉末状薬剤が供給される。従って、カバーキャップを開く動作に伴って供給体に振動が与えられるので、上記従来の操作方法（２）における「粉末吸入器を振る」という操作を行わなくても済む。【００１６】
さらに、前記薬剤搬送体を前記薬剤吸入位置から前記薬剤受け入れ位置へ付勢する弾性体と、薬剤搬送体を前記薬剤吸入位置にロックするロック機構と、前記カバーキャップの閉操作によって前記ロック機構を解除するロック解除機構と、を備えることにより、カバーキャップを閉じる際に、薬剤搬送体を薬剤吸入位置にロックしているロック機構が外れ、弾性体の作用によって薬剤搬送体が薬剤受け入れ位置に復帰するため、上記従来の操作方法における「（５）底キャップを操作して薬剤搬送体を薬剤受け入れ位置に戻す」という操作を省くことができる。
【図面の簡単な説明】
【００１７】
【図１】本発明の第１実施形態の粉末吸入器を示す斜視図である。
【図２】同粉末吸入器の縦断面図である。
【図３】同粉末吸入器の連結体の平面図である。
【図４】同粉末吸入器のベース体の平面図である。
【図５】（ａ）は同粉末吸入器の薬剤搬送体の平面図、（ｂ）は同薬剤搬送体の側面図である。
【図６】（ａ）は同粉末吸入器の押し上げ体の平面図、（ｂ）はベース体への押し上げ体の取付状態を示す断面図である。
【図７】同粉末吸入器のカウンタを示す平面図である。
【図８】（ａ）は同粉末吸入器の供給体の平面図、（ｂ）は同供給体の底面図である。
【図９】（ａ）は同粉末吸入器のマウスピースの平面図、（ｂ）は同マウスピースの側面図である。
【図１０】同粉末吸入器の組立順序を示す平面図である。
【図１１】同粉末吸入器の組立順序を示す平面図である。
【図１２】同粉末吸入器の組立順序を示す平面図である。
【図１３】同粉末吸入器による吸入動作を示す縦断面図である。
【図１４】（ａ）は同粉末吸入器の動作前の状態を示す平面図、（ｂ）は同粉末吸入器の動作後の状態を示す平面図である。
【図１５】（ａ）は同粉末吸入器の動作前の状態を示す平断面図、（ｂ）は同粉末吸入器の動作後の状態を示す平断面図である。
【図１６】同粉末吸入器の底キャップのロック動作を示す平面図である。
【図１７】同粉末吸入器の分解斜視図である。
【図１８】同粉末吸入器に操作説明図である。
【図１９】同粉末吸入器に操作説明図である。
【図２０】同粉末吸入器に操作説明図であり、（ａ）は平面図、（ｂ）はその正面図である。
【図２１】同粉末吸入器に操作説明図である。
【図２２】同粉末吸入器に操作説明図である。
【図２３】同粉末吸入器を示し、（ａ）は内部状態を示す底面図、（ｂ）は（ａ）のＡ−Ａ線に沿う要部断面図である。
【図２４】本発明に係る粉末吸入器の第２実施形態の外観を示す斜視図である。
【図２５】第２実施形態の粉末吸入器のカバーキャップを開いた状態を示す斜視図である。
【図２６】第２実施形態の粉末吸入器の分解斜視図である。
【図２７】第２実施形態の粉末吸入器の縦断面図である。
【図２８】第２実施形態の粉末吸入器の振動付与手段を説明するための内部構造を示す断面図である。
【図２９】図２８に続く操作状態を示す断面図である。
【図３０】図２９に続く操作状態を示す断面図である。
【図３１】図３０に続く操作状態を示す断面図である。
【図３２】図３１に続く操作状態を示す断面図である。
【図３３】図３２に続く操作状態を示す断面図である。
【図３４】図３３に続く操作状態を示す断面図である。
【図３５】第２実施形態の粉末吸入器の振動付与手段を説明するために内部構造を一部切り欠いて示す斜視図である。
【図３６】図３５に続く操作状態を示す斜視図である。
【図３７】第２実施形態の粉末吸入器の一部品である係合アームを示し、（ａ）は平面図、（ｂ）は側面図である。
【図３８】第２実施形態の粉末吸入器の薬剤搬送体を示し、（ａ）は平面図、（ｂ）は側面図である。
【図３９】第２実施形態の粉末吸入器の薬剤搬送体の作動状態を説明するための内部構造を示す断面図である。
【図４０】図３９に続く操作状態を示す断面図である。
【図４１】第２実施形態の粉末吸入器のロック機構を説明するための内部構造を示す断面図である。
【図４２】第２実施形態の粉末吸入器のロック解除部材を説明するための内部構造を示す断面図である。
【図４３】第２実施形態の粉末吸入器に組み込まれるベース体と操作部材を示す斜視図である。
【図４４】第２実施形態の粉末吸入器のカウンタを説明するための内部構造を示す断面図である。
【図４５】図４４に続く操作状態を示す断面図である。
【図４６】第２実施形態の粉末吸入器のカウンタを説明するための内部構造を一部切り欠いて示す斜視図である。
【図４７】図４６に続く操作状態を示す斜視図である。
【図４８】図４７に続く操作状態を示す斜視図である。
【図４９】第２実施形態の粉末吸入器の操作手順を示す説明図である。
【図５０】第２実施形態の粉末吸入器の変更態様を示す斜視図であり、（ａ）はカバーキャップを閉じた状態を示し、（ｂ）はカバーキャップを開いた状態を示す。
【図５１】本発明に係る粉末吸入器の更なる変更態様を一部拡大して示す平面図である。
【図５２】従来の粉末吸入器の操作手順を説明する説明図である。
【符号の説明】
【００１８】
１Ａ    ハウジング
１      ハウジング本体
Ｃ２    カバーキャップ
２      マウスピース
３      供給体
４      薬剤搬送体
Ｃ１    底キャップ
６０、９０、１００  振動付与手段
【発明を実施するための最良の形態】
【００１９】
以下、本発明の実施形態について図面を参照して説明する。なお、全図及び全実施形態を通じ、同様の構成部分には同符号を付した。【００２０】
先ず、本発明に係る粉末吸入器の第１実施形態について説明する。図１は粉末吸入器の斜視図、図２は粉末吸入器の縦断面図である。粉末吸入器は、ハウジング本体１、マウスピース２、及び、ハウジング本体１に後側から被せられる底キャップＣ１を備えたハウジング１Ａと、ハウジング本体１内に固定的に設けられ且つ多回数用量の微粉末状薬剤を収容する供給体３と、供給体３から一回分の用量の微粉末状薬剤を受け入れて搬送する薬剤搬送体４と、薬剤搬送体４に底キャップＣ１を連結する連結体５と、連結体５を介して底キャップＣ１をロックするロック体６と、底キャップＣ１にヒンジＨを介して開閉自在に連結されたカバーキャップＣ２と、供給体３をハウジング１Ａ内に支持しているベース体７と、供給体３とベース体７との間に回転自在に支持されて投薬回数を表示するカウンタ８と、を備えている。カバーキャップＣ２は透明又は半透明の材料によって形成し、底キャップＣ１は不透明な材料によって形成することが好ましい。【００２１】
粉末吸入器は、カバーキャップＣ２の内側面とハウジング１Ａの外側面に、カバーキャップＣ２を揺動させて開く際に、互いに係合し合うことによってハウジング１Ａに振動を与える振動付与手段６０を備えている。【００２２】
振動付与手段６０は、カバーキャップＣ２の内側に設けられた第１係合部と、ハウジング本体１の外側面に設けられ、前記第１係合部と係合可能であって、カバーキャップＣ２の揺動時にハウジング本体１を通じて供給体３に振動を与える第２係合部とを備える。【００２３】
第２係合部は、ハウジング本体１の外側面に形成された凸部６０ａによって構成されている。第１係合部は、カバーキャップＣ２の内側面に直列的に配置されて凸部６０ａと係合可能な複数の凹部６０ｂによって構成されている。また、この実施形態では、第２係合部は更に、図２３に示すように、下側ハウジング本体１ｂの底側外面に形成された凸部６０ｃを備え、第１係合部は、カバーキャップＣ２の内側面に形成されて凸部６０ｃと係合する凸部６０ｄを備えている。凸部６０ｃは、複数の凸部が連接されて並ぶ断面波形に形成されている。なお、振動付与手段６０は、図示例のものに限らず、フィン状、櫛歯状、その他の種々の形態のものを採用することができる。【００２４】
図２のようにハウジング本体１は、上側ハウジング本体１ａと下側ハウジング本体１ｂとを備え、ハウジング本体１の後端には連結体５を挿通するための開口部１０Ａが設けられている。【００２５】
上側ハウジング本体１ａ及び下側ハウジング本体１ｂは、図外の係止爪及び係止溝によっていわゆるスナップイン方式で接合される。図１及び図１４に示すように上側ハウジング本体１ａの前側には横長スリット状の空気取入口１ｉが設けられ、カウンタ８の取付け位置に対応する部位にはカウンタ８の状態を読み取るための窓１ｊが設けられている。図１０に示すように下側ハウジング本体１ｂの内面には、連結体５をガイドするためのガイド軸１ｍと、突脈部１ｎで囲繞されるロック体６を収容する収納部１ｔと、該収納部１ｔ内に形成されるロック体６の枢支軸１ｐと、がそれぞれ形成されている。【００２６】
図２のようにマウスピース２は、本体部２ａとカバー部２ｂとで構成され、本体部２ａには微粉末状薬剤を分散させる薬剤吸入流路２ｃが形成され、本体部２ａの外周部には嵌合溝２ｅが形成され、カバー部２ｂには粉末状薬剤を自力で吸入するための吸入口２ｆが設けられている。【００２７】
図２及び図８のように供給体３は、約２００回分の服用量の微粉末状薬剤を収容する漏斗状のホッパー３ａを備え、該ホッパー３ａの下端には薬剤排出孔３ｂが設けられ、供給体３のホッパー３ａの上端側の開口部３ｃは微粉末状薬剤を湿気から保護する蓋３ｄにて閉塞されている。また、カウンタ８は、供給体３のホッパー３ａに外嵌されている。更に、後述する薬剤搬送体４の計量凹部４ｃの周囲部との接触面積を少なくするために、薬剤排出孔３ｂの周縁部及び薬剤搬送体４の摺動部４ｅ（図５）に対応する部位には肉厚部３ｇが形成され、薬剤搬送体４は該肉厚部３ｇの下面にのみ接触するようになっている。【００２８】
図１及び図２のようにカバーキャップＣ２は、ハウジング本体１の前部及びマウスピース２を覆う大きさに設定されている。【００２９】
連結体５は、ハウジング本体１に平行往復動自在に配設され、図１６のように復帰バネ（コイルばね）５１によってハウジング本体１の開口部１０Ａから後方に突出する方向にばね付勢されている。連結体５は図３のようにガイド板５ａを備え、該ガイド板５ａには薬剤搬送体４を揺動させるための係止用長孔５ｂ、連結体５をガイドするために枢支軸１ｐが挿入されるガイド用長孔５ｃが設けられ、ガイド板５ａの下面側には係合ピン５ｅが突設けられている。連結体５には、復帰バネ５１を取り付けるための取付軸５ｆが突設されている。また、ガイド板５ａの後端には、連結体５を底キャップＣ１に連結して取付けるためにガイド板５ａから立ち上がる板状の取付部５ｇが形成され、取付部５ｇの左右両側には係止用弾性片５ｉが形成されており、この係止用弾性片５ｉが底キャップＣ１の後部内壁面に形成された係止突起５２Ａ（図１２）に僅かに弾性変形した状態で係止することにより、連結体５と底キャップＣ１とが連結されている。【００３０】
底キャップＣ１は、図２及び図１３のようにハウジング本体１の後部に被せて開口部１０Ａを覆うと共に、薬剤搬送体４と連結体５を介して連結されているのでハウジング本体１の後部に前後方向に往復動自在に配設されている。【００３１】
ロック体６には、図１０のようにガイド溝６ａ、枢支孔６ｆ及び弾性杆６ｇがそれぞれ形成されている。ガイド溝６ａには、第１切替部６ｂ、第２切替部６ｃ、前係合部６ｄ、及び、後係合部６ｅが形成されている。ロック体６は、下側ハウジング本体１ｂの収容部１ｔに収容され、枢支孔６ｆは収容部１ｔ内の枢支軸１ｐにはめ込まれるようになっている。また、ロック体６の上には連結体５が位置し、該連結体５の係合ピン５ｅ（図３参照）はロック体６のガイド溝６ａ内に挿入されている。【００３２】
かかるロック体６は、以下のように動作する。図１０及び図１６を参照すると、薬剤排出孔３ｂと計量凹部４ｃとが一致している薬剤受け入れ位置（原位置：図１６（ｂ）の位置）では、連結体の係合ピン５ｅは後係合部６ｅの位置にあり、連結体５及び底キャップＣ１は復帰バネ５１の弾撥力によってハウジング本体１の後方から最も突出した状態にある。この位置から底キャップＣ１に対してハウジング本体１を押し込むと、底キャップＣ１に連結されている連結体５の係合ピン５ｅはロック体６の後係合部６ｅからガイド溝６ａを通って第１切替部６ｂに至る（図１６（ａ）参照）。このとき、ロック体６は弾性杆６ｇの弾撥力に抗して揺動する。その後、ハウジング本体１の押し込み操作を解除すると、復帰バネ５１の弾撥力により連結体５の係合ピン５ｅが前係合部６ｄに係合し、ハウジング本体１が底キャップＣ１に押し込まれた状態でロックされる。この状態の時、計量凹部４ｃは、図１５に示すように、薬剤排出孔３ｂの位置から吸入口２ｆの側（即ち前方）へ移動しており、吸入口２ｆから吸入可能な薬剤吸入位置にあり、薬剤搬送体４は薬剤吸入位置から薬剤受け入れ位置の側への移動がロックされている。次に、底キャップＣ１に対してハウジング本体１を所定距離だけ再び押し込むと、ロック体６の弾性杆６ｇの弾性復元力により係合ピン５ｅは前係合部６ｄから解除されて第２切替部６ｃに至り（図１６（ｂ））、それによってロック状態が解除される。次に、底キャップＣ１に対するハウジング本体１の押し込み力を解除すると、復帰バネ５１の弾撥力により係合ピン５ｅはガイド溝６ａを通って後係合部６ｅに移動して底キャップＣ１及び連結体５は原位置（薬剤受け入れ位置）に復帰する（図１６（ｂ））。なお、粉末吸入器全体の動作については後述する。【００３３】
図１８，１９に示すように、カバーキャップＣ２の内側面とハウジング本体１の外側面の各々に、カバーキャップＣ２を閉じる際に互いに係合し合うことによってハウジング本体１を底キャップＣ１に所定距離押し込む、ロック解除用係合部７０が設けられている。【００３４】
ロック解除用係合部７０は、カバーキャップＣ２の内側に形成された係合突起７０ａ，７０ｃ（図２２、２０（ｂ））と、ハウジング本体１のサイド面に形成されて係合突起７０ａと係合する被係合突起７０ｂ、及び、ハウジング本体１の上面及び下面の前端に形成されて係合突起７０ｃと係合する被係合突起７０ｄ（図２２、２０（ｂ））とを含む。【００３５】
係合突起７０ａ、７０ｃは、連結体５の係合ピン５ｅを前係合部６ｄから第２切替部６ｃまで移動させて前記ロック解除に十分な距離だけ、カバーキャップＣ２を閉じる最中に被係合突起７０ｂ、７０ｄと係合し、カバーカップＣ２を閉じきったときには係合が外れるような寸法に設計されている（図２２参照）。従って、カバーキャップＣ２を閉じきった時には、ロック体６による前記ロック機構が解除され、復帰バネ５１の弾撥力により、ハウジング本体１が突出して薬剤受け入れ位置（原位置）に戻る。なお、ロック解除用係合部７０は、図示例のものに限らず、種々の形態のものを採用することができる。【００３６】
図５のように薬剤搬送体４は、一端部に軸孔４ａが形成され、他端部には係止ピン４ｂが設けられ、軸孔４ａと係止ピン４ｂとの中間部分には一回分の用量に対応する容積を有する球面凹状の有底の計量凹部４ｃが形成されている。【００３７】
薬剤搬送体４の上面の一部は僅かに盛り上げられて平面視が円弧状の摺動部４ｅが形成され、摺動部４ｅの一端部に計量凹部４ｃが位置している。これにより、計量凹部４ｃが円弧状に往復移動した場合でも薬剤搬送体４の摺動部４ｅのみが供給体３の薬剤排出孔３ｂ周囲の肉厚部３ｇ下面と接触するようになっている。【００３８】
薬剤搬送体４は、後述のように下側ハウジング本体１ｂの内面に突設されたガイド軸１ｍに揺動自在に枢支され、薬剤搬送体４の係止ピン４ｂが連結体５の係止用長孔５ｂに挿入されることにより薬剤搬送体４と連結体５とが係合する。【００３９】
また、図６に示すように、薬剤搬送体４は後述する押し上げ体９によって上方に弾性付勢されることにより、薬剤搬送体４の摺動部４ｅは供給体３の薬剤排出孔３ｂの周囲の肉厚部３ｇの下面と弾性的に接触するようになっている。これにより、薬剤搬送体４の摺動部４ｅとホッパー３ａの薬剤排出孔３ｂの周囲部との緊密度が増し、薬剤搬送体４の計量凹部４ｃから微粉末状薬剤が漏れるのを防止している。【００４０】
図４等で示ようにベース体７には、嵌合孔７ａ、ホッパー３ａを収容する円形開口部７ｄ、及びこの円形開口部７ｄの周囲に環状に配置されたカウンタ支持爪７ｂ、７ｃが設けられている。【００４１】
また、下側ハウジング本体１ｂには、図６に示すように、押し上げ体９の取付孔１ｅと、押し上げ体９を押し上げる押し上げバネ１０が外嵌されたバネ支持軸１ｆが形成されている。押し上げ体９の下面には、先端に抜け止め部９ａを有する保持軸９ｂが形成され、この保持軸９ｂが取付孔１ｅに挿入されている。そして、図６（ｂ）のように押し上げバネ（コイルばね）１０が押し上げ体９を上方にばね付勢している。【００４２】
連結体５には、カウンタ８に係合し、前後方向への往復動に伴って該カウンタ８を回転させるラチェット駆動爪５ｄ（図３，図１７）が形成されている。【００４３】
カウンタ８は、公知の構造のものであって、図７に示すように、１の位の円環８ａの外周に１０の位のホイール８ｂを備えている。円環８ａは、筒状のラチェット（図７（ｂ）参照）を有し、ベース体７に形成されたカウンタ支持爪７ｂにより一方向に回転自在に支持されている。ホイール８ｂもまた筒状のラチェット（図７（ｄ）参照）を有し、ベース体７に形成されたカウンタ支持爪７ｃによって一方向に回転自在に支持されている。【００４４】
そして、薬剤搬送体４の揺動によりラチェット駆動爪５ｄによって１の位の円環８ａだけが回転する。円環８ａの外周部には、該外周に沿ってホイール８ｂを回転駆動させるためのラチェット駆動爪８ａ１が設けられており、投薬回数が１０回目でホイール８ｂが１の計数位置だけ回転する。ホイール８ｂには１〜２０の目盛りが記されており、従って、円管８ａとの組み合わせにより、１〜２００回の投薬回数を表示する。【００４５】
供給体３、薬剤搬送体４及び連結体５の材料にカーボン等の導電性フィラーを加えて導電性を付与し、静電気を漏洩させるようにしても良い。【００４６】
なお、導電性を付与する部品は、供給体３、薬剤搬送体４及び連結体５には限定されない。【００４７】
粉末吸入器の組み立ては次のようにして行われる。【００４８】
下側ハウジング本体１ｂの挟持用突起１ｇにマウスピース２の嵌合溝２ｅを嵌合させる。また、図１０のように下側ハウジング本体１ｂの収容部１ｔにロック体６を収容した後、図１１のように連結体５を下側ハウジング本体１ｂに取り付けてロック体６の上に位置させる。このとき、連結体５のガイド用長孔５ｃ内に下側ハウジング本体１ｂのガイド軸１ｍを挿通する。また、連結体５の取付軸５ｆに復帰バネ５１を挿通し、該復帰バネ５１の前端側をベース７に形成されたバネ係止突起７ｑ（図２参照）に係止させる。【００４９】
次に、上述のようにしてベース体７に押し上げ体９を装着した後、押し上げ体９の上から薬剤搬送体４を設置する。このとき、薬剤搬送体４の軸孔４ａに下側ハウジング本体１ｂのガイド軸１ｍの一本を挿入させ（図１２）、薬剤搬送体４の係止ピン４ｂを連結体５の係止用長孔５ｂに挿入して薬剤搬送体４を連結体５に係合する。薬剤搬送体４は、軸孔４ａによって揺動自在に支持される。【００５０】
次に、図１２のようにベース体７を薬剤搬送体４及び連結体５の上から下側ハウジング本体１ｂ内に載置する。このとき、ベース体７の嵌合孔７ａを下側ハウジング本体１ｂのガイド軸１ｍの２本に嵌合させてベース体７を位置決めする。その後、ベース体７に、カウンタ８を構成する円環８ａ、ホイール８ｂを収容する。【００５１】
そして、図２のように、円環８ａ内に供給体３を挿入し、薬剤搬送体４の上に供給体３を位置させる。供給体３には、カバー３ｄが取り付けられる。【００５２】
次に、下側ハウジング本体１ｂに上側ハウジング本体１ａを接合する。上側ハウジング本体１ａの挟持用突起１ｇ（図２）をマウスピース２の嵌合溝２ｅに嵌合させ、マウスピース２の本体部２ａにカバー部２ｂを嵌合する。【００５３】
また、図１２のように底キャップＣ１をハウジング本体１の後部に被せ、係止突起５２Ａを連結体５の係止用弾性片５ｉに係止させる。なお、図１２は供給体３等を省略して図示している。【００５４】
このように構成される粉末吸入器は、以下の動作をする。【００５５】
まず、図２のようにカバーキャップＣ２を取り付けた状態では、薬剤搬送体４は該薬剤搬送体４の計量凹部４ｃが供給体３の薬剤排出孔３ｂと合致する薬剤受け入れ位置に位置している。【００５６】
図１２〜１５、図１８、図２３のようにカバーキャップＣ２を開く際、振動付与手段６０により、ハウジング本体１が振動する。具体的には、凹部６０ｂに係合している凸部６０ａが、カバーキャップＣ２を開く動作に伴って、隣り合う凹部６０ｂ、６０ｂの間の壁を乗り越える際に押され、その壁を乗り越えると隣の凹部６０ｂに嵌ることによって、ハウジング本体１が振動する。また、図２３に示すように、カバーキャップＣ２を開く動作に伴って、ハウジング本体１は、凸部６０ｄが凸部６０ｃを乗り越える際に凸部６０ｄから押され、凸部６０ｄが凸部６０ｃを乗り越えると元の位置に戻されることによって、振動する。また、凸部６０ａと凹部６０ｂとの衝突や、凸部６０ｄと凸部６０ｃとの衝突によっても、ハウジング本体１に振動が与えられる。このように、凸部６０ａ、６０ｃが、それぞれ、凹部６０ｂ、凸部６０ｄと、次々のスライドしながら係合する、“スライド係合”をなし、このスライド係合によって、ハウジング本体１に振動を生じさせる。ハウジング本体１が振動することにより、ハウジング本体１に固設されている供給体３も振動する。供給体３が振動すると、供給体３内の微粉状薬剤がホッパー３ａの斜面に沿って薬剤排出口３ｂへ送られ、薬剤搬送体４の計量凹部４ｃに微粉状薬剤が充填される。なお、カバーキャップＣ２を開く際、係合突起７０ａがハウジング本体１と干渉しないように、ハウジング本体１の外壁面に凹所１ｈが形成されている（図１９参照）。【００５７】
底キャップＣ１を保持しながら、ハウジング本体１を底キャップＣ１に押し込んでいくと（図２０）、第１切替部６ｂにおいてそれ以上の押し込みが規制され、前係合部６ｄに係合する前記薬剤吸入位置で連結体５がロック体６によってロックされる。ハウジング本体１の押し込みに伴って、薬剤搬送体４が揺動して計量凹部４ｃは薬剤受け入れ位置からホッパー３ａの薬剤吸入流路２ｃに連通する空間内の薬剤吸入位置へ移動する（図２１）。【００５８】
薬剤搬送体４が揺動するとき、計量凹部４ｃ内に充填された微粉末状薬剤は薬剤排出孔３ｂの周囲の肉厚部３ｇによってすり切られ、一回分の用量の微粉末状薬剤が薬剤吸入流路２ｃに連通する空間内の薬剤吸入位置まで搬送される。【００５９】
次に、患者の吸気圧でマウスピース２の吸入口２ｆからハウジング１Ａ内の空気を吸引すると、ハウジング１Ａ内は負圧になり、図１３の矢印のように外部の空気がハウジング本体１の空気取入口１ｉからハウジング１Ａ内に吸引され、マウスピース２の薬剤吸入流路２ｃに至る。これにより、薬剤搬送体４の計量凹部４ｃ内に充填された微粉末状薬剤に空気衝撃が加わって該微粉末状薬剤がマウスピース２の薬剤吸入流路２ｃ内に飛散し、吸引された空気と共に吸入口２ｆを通って患者の肺器官内に至る。【００６０】
吸引が終われば、カバーキャップＣ２を閉じる。カバーキャップＣ２を閉じる際、ロック解除用係合部７０が係合する（図２２）。なお、ロック解除用係合部７０が係合する際、ハウジング本体１は底キャップＣ１に押し込まれた薬剤吸入位置にあり、振動付与手段６０の第１係合部及び第２係合部は離隔していて係合しない。ロック解除用係合部７０は、ハウジング本体１を底キャップＣ１に対してロック体６のロック解除に必要な距離だけ押し込み、その結果、ロックが解除されてハウジング本体１は復帰バネ５１の断撥力によって前記薬剤受け入れ位置に復帰する。ハウジング本体１を原位置（薬剤受け入れ位置）に復帰させることにより、薬剤搬送体４がスイングバックして計量凹部４ｃは供給体３の薬剤排出孔３ｂの下方に位置する薬剤充填位置まで戻る。【００６１】
図１４（ｂ）、図２１のように使用者が底キャップＣ１を押し込んだときには、カウンタ８を読み取る窓１ｊは底キャップＣ１によって覆われ、カウンタ８の投薬回数表示が切り替わる状態は使用者の目に止まることがない。これにより、窓１ｊには常に切り替わった後のカウンタ８のみが表示され、使用者に投薬回数に関して誤解を与えるような情報が表示されることがなくなる。【００６２】
図２のように使用しないとき（携帯時など）には、カバーキャップＣ２を閉じることによってカバーキャップＣ２の後端と底キャップＣ１の前端とを合致させてハウジング１Ａを気密状態にする。携帯時などカバーキャップＣ２が閉じているとき、ハウジング本体１は復帰バネ５１の断撥力によってカバーキャップＣ２の側に付勢されている。携帯時等にハウジング１Ａが底キャップＣ１及びカバーキャップＣ２の中で揺れ動かないように、図１２に示すように、カバーキャップＣ２の開口端部内壁に係止突部８０（図２０も参照）が形成され、ハウジング本体１の外側面に被係止突部８１が形成されている。係止突部８０は、カバーキャップＣ２を開く際に、被係止突部８１から外れるようになっている。【００６３】
なお、ホッパー３ａ内の微粉末状薬剤を使い切れば、粉末吸入器は廃棄される。【００６４】
また、粉末吸入器の防湿性を高めるために、粉末吸入器の内部をタブレット状の乾燥薬剤Ｓを装着する構成にしても良い。【００６５】
また、底キャップＣ１及びカバーキャップＣ２は、その目的から、高密度ポリエチレン、ポリプロピレン等の透湿度の低い材質が好ましい。【００６６】
次に、本発明に係る粉末吸入器の第２実施形態について図２４〜４９を参照して説明する。なお、上記第１実施形態と同様の構成部分については、同符号を付して説明を省略することがある。【００６７】
図２４はカバーキャップＣ２を閉じた状態の外観を示す斜視図であり、図２５はカバーキャップＣ２を開いた状態の外観を示す斜視図である。【００６８】
図２４，２５に示すように、粉末吸入器は、一端に吸引口２ｆを有するハウジング１Ａと、ハウジング１ＡにヒンジＨを介して揺動自在に連結されたカバーキャップＣ２とを有している。【００６９】
ハウジング１Ａは、図２６、２７に示すように、ハウジング本体１、マウスピース２、及び、ハウジング本体１に固定された底キャップＣ１を備えている。ハウジング１Ａ内に、多回数用量の微粉末状薬剤（不図示）を収容する供給体３と、供給体３から一回分の用量の微粉末状薬剤を計量凹部４ｃに受け入れて搬送する薬剤搬送体４と、ハウジング本体１にスナップ係合によって取り付けられ供給体３を支持しているベース体７と、供給体３とベース体７との間に回転自在に支持されて投薬回数を表示するカウンタ８と、を備えている。底キャップＣ１は、ハウジング１Ａに後側から被せられスナップイン方式で固定されている。【００７０】
ハウジング本体１は、上側ハウジング本体１ａと下側ハウジング本体１ｂとを接続して構成される。マウスピース２は、本体部２ａとカバー部２ｂとで構成され、本体部２ａには微粉末状薬剤を分散させる薬剤吸入流路２ｃが形成されている。供給体３は、約２００回分の服用量の微粉末状薬剤を収容する漏斗状のホッパー３ａを備え、該ホッパー３ａの下端には薬剤排出孔３ｂが設けられ、供給体３のホッパー３ａの上端側の開口部３ｃは微粉末状薬剤を湿気から保護する蓋３ｄにて閉塞されている。【００７１】
粉末吸入器は、カバーキャップＣ２の揺動によって作動し、供給体３に直接、振動を与える振動付与手段９０を備える。振動付与手段９０は、カバーキャップＣ２の内側に設けられた第１係合部と、該第１係合部と係合可能であって、供給体３に設けられた第２係合部と、を有する。【００７２】
この第１係合部は、図２５，図２８〜３４に示すように、カバーキャップＣ２の内側面に揺動可能に連結された係合アーム９０ａを有している。係合アーム９０ａは、キャップカバーＣ２に固定されたブラケットＣ２ａに支持されている。一方、前記第１係合部と係合可能な第２係合部は、図２８〜３６に供給体３の一部を切り欠いて示すように、漏斗状をした供給体３の外側面に沿って形成された複数の段部９０ｂを備えている。なお、図２８〜３６は、理解容易のため、幾つかの部品を省略して図示している。【００７３】
係合アーム９０ａは、係合アーム９０ａに一体のガイドアーム９１を備えている。ガイドアーム９１は、カムフォロアー９２（図３７参照）を備えている。カムフォロアー９２は、ハウジング本体１の内面に形成されたガイド部９３によって案内される。ガイド部９３は、ハウジング本体１の底面に立設した壁によって形成されており、カム溝のように作用する。カバーキャップＣ２が開くのに伴って、カムフォロアー９２がガイド部９３に案内される。それによって、係合アーム９０ａは、図２８〜３２に示すように、段部９０ｂと係合し、段部９０ｂを乗り越える際に供給体３を押すことによって、供給体３に振動を与える。また、段部９０ｂに沿って係合アーム９０ａを移動させる際に、段部９０ｂに係合アーム９０ａが衝突することによっても、供給体３に振動を与える。係合アーム９０ａは、先端部に切り欠き部９０ａ１を備え、その切り欠き部９０ａ１が段部９０ｂに係合している。なお、カバーキャップＣ２を閉じる際には、係合アーム９０ａは、カバーキャップＣ２を開く場合と逆の経路をたどる。【００７４】
ハウジング本体１には、ガイドアーム９１及び係合アーム９０ａが通る開口部１ｃが形成されている。ガイドアーム９１は、図２６に示すように、マウスピース２の本体部２ａとハウジング本体１との間の隙間を延びている。【００７５】
上記したように、上記第１実施形態と異なり、第２実施形態においては、底キャップＣ１はハウジング本体１に固定されている。そのため、第２実施形態では、薬剤搬送体４を薬剤受け入れ位置から薬剤吸入位置へ移動させるための操作部材９５は、図２５に示すように、ハウジング本体１の前方の肩部から、押しボタン式に突出している。尚、図２８〜図３６では、操作部材が図示省略されている。【００７６】
薬剤搬送体４は、図３８に示すように、軸孔４ａ、係止ピン４ｂ、計量凹部４ｃ、及び、摺動部４ｅを有している。薬剤搬送体４は、図３９、４０に示すように、ハウジング本体１に突設された軸１ｄの回りに回転自在に支持されている。【００７７】
薬剤搬送体４の係止ピン４ｂは、操作部材９５に形成された軸受け部９５ａ（図４３参照）に支持されている。操作部材９５は、図３９に示すように、コイルバネ等の弾性体９４によってハウジング本体１から突出する側へ付勢されている。操作部材９５が弾性体９４に抗して押されていない状態では、薬剤搬送体４は、弾性体９４によって、図３９に示されているように、計量凹部４ｃが薬剤排出孔（図３９に示されていない）と連通する薬剤受け入れ位置にある。操作部材９５を弾性体９４に抗して押せば、図４０に示されているように、薬剤搬送体４は、軸１ｄを中心に揺動し、計量凹部４ｃがマウスピース２内に収容される薬剤吸入位置に移動する。【００７８】
操作部材９５が押し込まれ薬剤搬送体４が薬剤吸入位置に位置すると、薬剤搬送体４が弾性体９４の付勢力によって薬剤受け入れ位置の側への移動するのを規制するロック機構が作動する。このロック機構は、図４１〜図４３に示すように、ベース体７から延びる係止アーム７ｅと、操作部材９５に形成された係止爪９５ｂと、を備えている。すなわち、操作部材９５が押され、係止爪９５ｂが係止アーム７ｅに係止することによって、前記ロック機構が作動する。【００７９】
前記ロック機構のロック解除機構としてのロック解除部材は、図４２，ガイドアーム９１の先端部９１ａに設けられている。図４２に示すように、カバーキャップＣ２を閉操作すると、ガイドアーム９１がガイド部９３によって案内され、ガイドアーム９１の先端部９１ａが係止アーム７ｅの先端部７ｅ１（図４３参照）を押す。それによって、図４２，４３に示すように、係止アーム７ｅは、撓み、それにより係止爪９５ｂから外れる。係止アーム７ｅが係止爪９５ｂから外れると、直ちに、弾性体９４によって操作部材９５が押し戻され、それにより薬剤搬送体４は、薬剤吸引位置から薬剤受け入れ位置に移動させられる。【００８０】
次にカウンタ８（図２７参照）について簡単に説明する。カウンタ８は、上記第１実施形態と同様、公知の機構を採用している。【００８１】
図４４，４５に示すように、カウンタの一の位の円環８ａを駆動させるラチェット駆動爪９６は、操作部材９５を操作することによって軸９７（図２６，２７参照）の回りに揺動するように、操作部材９５にリンク結合され、ハウジング本体１内に支持されている。【００８２】
操作部材９５を一度押せば、図４４（図４６）に示された位置から、図４５（図４７）に示された位置へ、ラチェット駆動爪９６は移動し、図４７に示されているように、ラチェット駆動爪９６が、円環８ａの底面に形成されたラチェット歯８ｔに係止する。続いて、前記ロック解除部材によりロック機構が解除され操作部材９５が図４５に示された位置から図４４に示された位置に戻る際に、ラチェット駆動爪９６が図４７の位置から図４８の位置へ移動し、一の位の円環８ａを回転させる。操作部材９５を１０回押し操作し、一の位の円環８ａが一回転すると、ラチェット駆動爪８ａ１が１０の位の円環８ｂ（図２７）に係合して円環８ｂを回転させる。カウンタ８の数字は、ハウジング本体１に形成された窓１ｊ（図２５参照）から見ることができる。【００８３】
上記構成を有する第２実施形態の粉末吸入器は、図４９に示すように、（ａ）カバーキャップＣ２を開く、（ｂ）操作部材９５を押操作する、（ｃ）吸引する、（ｄ）カバーキャップＣ２を閉じる、という４つの操作によって吸引を完了することができる。【００８４】
すなわち、カバーキャップＣ２を開くことによって、振動付与手段９０が供給体３に振動を与え、微粉末状薬剤が供給体３から計量凹部４ｃに充填される。従って、従来のように、粉末吸入器を手で持って振る必要がない。【００８５】
また、吸引後、カバーキャップＣ２を閉じる際に、前記ロック解除部材が前記ロック機構を解除することにより、薬剤搬送体４が薬剤吸入位置から薬剤受け入れ位置に戻るので、薬剤搬送体４を薬剤受け入れ位置に戻す手間を省くことができる。【００８６】
以上、本発明の実施形態について説明したが、本発明は、上記の実施形態に限定されるものではなく、本発明の趣旨を逸脱しない範囲で種々の変更が可能である。【００８７】
例えば、上記第１実施形態では、第２係合部をハウジング本体１の外側面に形成したが、上記第２実施形態のように第１係合部をハウジング１Ａの内部に延びるように構成することによって、第２係合部をハウジング１Ａの内側面に設けることも可能である。【００８８】
また、上記第２実施形態において、ハウジング１Ａは、ハウジング本体１に底キャップＣ１を取り付けて構成されているが、図５０に示すように、ハウジング本体１に相当する部分に底部を形成して、別体の底キャップを省略する形態としてもよい。【００８９】
さらに、上記実施形態では、振動付与手段に関し、カバーキャップＣ２に設けた第１係合部と係合する第２係合部を、ハウジング本体又は供給体に形成した例を示したが、前記第２係合部は、供給体に振動を伝えることができるものであれば、例えば、供給体３を支持しているベース体７、その他のハウジング１Ａ内に組み込まれた部品に設けても良い。【００９０】
また、振動付与手段に関し、カバーキャップＣ２に設けた第１係合部と係合する第２係合部は、ハウジング内に組み込まれた部品に限らず、供給体に振動を伝えることができるものであれば、例えば、ハウジング１Ａに一体的に形成された部位に設けても良い。例えば、図５１に示すように、振動付与手段１００として、第１係合部と係合する第２係合部は、ハウジング１Ａを構成している底キャップＣ１に一体的に形成されたヒンジＨの軸受け部Ｈ１の内周面に設けた突起部１００ａによって形成することもできる。この場合、カバーキャップＣ２に設けられる第１係合部は、カバーキャップの内側でなく、ヒンジＨの軸部Ｈ２の外周面に設けた凹凸部１００ｂによって形成することができる。
【図１】
2008001744.tif 000003
【図２】
2008001744.tif 000004
【図３】
2008001744.tif 000005
【図４】
2008001744.tif 000006
【図５】
2008001744.tif 000007
【図６】
2008001744.tif 000008
【図７】
2008001744.tif 000009
【図８】
2008001744.tif 000010
【図９】
2008001744.tif 000011
【図１０】
2008001744.tif 000012
【図１１】
2008001744.tif 000013
【図１２】
2008001744.tif 000014
【図１３】
2008001744.tif 000015
【図１４】
2008001744.tif 000016
【図１５】
2008001744.tif 000017
【図１６】
2008001744.tif 000018
【図１７】
2008001744.tif 000019
【図１８】
2008001744.tif 000020
【図１９】
2008001744.tif 000021
【図２０】
2008001744.tif 000022
【図２１】
2008001744.tif 000023
【図２２】
2008001744.tif 000024
【図２３】
2008001744.tif 000025
【図２４】
2008001744.tif 000026
【図２５】
2008001744.tif 000027
【図２６】
2008001744.tif 000028
【図２７】
2008001744.tif 000029
【図２８】
2008001744.tif 000030
【図２９】
2008001744.tif 000031
【図３０】
2008001744.tif 000032
【図３１】
2008001744.tif 000033
【図３２】
2008001744.tif 000034
【図３３】
2008001744.tif 000035
【図３４】
2008001744.tif 000036
【図３５】
2008001744.tif 000037
【図３６】
2008001744.tif 000038
【図３７】
2008001744.tif 000039
【図３８】
2008001744.tif 000040
【図３９】
2008001744.tif 000041
【図４０】
2008001744.tif 000042
【図４１】
2008001744.tif 000043
【図４２】
2008001744.tif 000044
【図４３】
2008001744.tif 000045
【図４４】
2008001744.tif 000046
【図４５】
2008001744.tif 000047
【図４６】
2008001744.tif 000048
【図４７】
2008001744.tif 000049
【図４８】
2008001744.tif 000050
【図４９】
2008001744.tif 000051
【図５０】
2008001744.tif 000052
【図５１】
2008001744.tif 000053
【図５２】
2008001744.tif 000054
【国際調査報告】
2008001744.tif 000055
2008001744.tif 000056
2008001744.tif 000057
2008001744.tif 000058